【事件の表示】
　特願２０１０−５２４８２０「電気通信システムにおける方法および構成」拒絶査定不服審判事件〔平成２１年　３月２６日国際公開，ＷＯ２００９／０３８５２２，平成２２年１２月１６日国内公表，特表２０１０−５３９７８６〕について，次のとおり審決する。
【結　論】
　本件審判の請求は，成り立たない。
【理　由】
第１．手続の経緯
　本願は，２００８年５月２０日（パリ条約による優先権主張外国庁受理２００７年９月１７日　アメリカ合衆国）を国際出願日とする出願であって，
　平成２２年３月１９日付けで特許法第１８４条の４第１項の規定による明細書，請求の範囲，及び，図面（図面の中の説明に限る）の日本語による翻訳文が提出され，平成２３年３月８日付けで審査請求がなされ，平成２３年１２月７日付けで審査官により拒絶理由が通知され，これに対して平成２４年３月８日付けで意見書が提出されたが，平成２４年４月１９日付けで審査官により拒絶査定がなされ（発送；平成２４年４月２７日），これに対して平成２４年８月２３日付けで審判請求がなされたものである。
　
第２．本願発明について
　本願の請求項１に係る発明（以下，これを「本願発明」という）は，平成２２年３月１９日付けで提出された特許請求の範囲の翻訳文の請求項１に記載された，次のとおりのものである。
　
「次世代パケットシステムＥＰＳのモビリティ管理エンティティ（１３）ＭＭＥにおいて，ユーザ装置（１１）ＵＥと前記ＵＥにサービスするｅＮｏｄｅＢ（１２）との間のＲＲＣ／ＵＰトラフィックを保護するためにセキュリティキーＫ＿ｅＮＢを確立する方法であって，以下の
　−　ＮＡＳサービス要求を前記ＵＥから受信するステップ（３２，５２）であって，前記要求が，ＮＡＳアップリンクシーケンス番号ＮＡＳ＿Ｕ＿ＳＥＱを示すステップと，
　−　少なくとも前記受信されたＮＡＳ＿Ｕ＿ＳＥＱから，および前記ＵＥと共有される，記憶されたアクセスセキュリティ管理エンティティキーＫ＿ＡＳＭＥから，前記セキュリティキーＫ＿ｅＮＢを導出するステップ（３３，５３）と，
　−　前記導出されたＫ＿ｅＮＢを，前記ＵＥにサービスする前記ｅＮｏｄｅＢ（１２）に転送するステップ（３４）と，
を含む，ＭＭＥにおける方法。」
　
第３．引用刊行物に記載の発明
　一方，原審の平成２３年１２月７日付けの拒絶理由に引用された，本願の第１国出願前に既に公知である，「3GPP，Universal Mobile Telecommunications System (UMTS);Evolved Universal Terrestrial Radio Access (E-UTRA) andEvolved Universal Terrestrial Radio Access (E-UTRAN);Overall description;Stage 2(3GPP TS 36.300 version 8.1.0 Release 8),[online]，２００７年　６月，p.11-15, 58,59；ＵＲＬ，http://www.etsi.org/deliver/etsi_ts/136300_136399/136300/08.01.00_60/ts_136300v080100p.pdf」（以下，これを「引用刊行物１」という）には，関連する図面と共に，次の事項が記載されている。
Ａ．「The EUTRAN architecture is illustrated in Figure 4 below.
　
4.1 Functional Split
The eNB hosts the following functions:
- Functions for Radio Resource Management: Radio Bearer Control, Radio Admission Control, Connection Mobility Control, Dynamic allocation of resources to UEs in both uplink and downlink (scheduling);
- IP header compression and encryption of user data stream;
- Selection of an MME at UE attachment;
NOTE: it is assumed, that at UE attachment, firstly the MME is involved, i.e. actually the MME is selected.
- Routing of User Plane data towards Serving Gateway;
NOTE: it is FFS which node actually establishes the User Plane tunnel.
NOTE: it is FFS whether User Plane tunnel establishment takes place together with the RRC activation.
- Scheduling and transmission of paging messages (originated from the MME);
- Scheduling and transmission of broadcast information (originated from the MME or OM);
- Measurement and measurement reporting configuration for mobility and scheduling.
The MME hosts the following functions:
- Distribution of paging messages to the eNBs;
- Security control;
- Idle state mobility control;
- SAE bearer control;
- Ciphering and integrity protection of NAS signalling.
The Serving Gateway hosts the following functions:
- Termination of U-plane packets for paging reasons (FFS);
- Switching of U-plane for support of UE mobility.」（１１頁末行〜１２頁末行）
（ＥＵＴＲＡＮのアーキテクチャを，以下の図４に示す。
　
４．１　機能の分割
ｅＮＢは，次の機能を実施する：
−　無線機能管理のための機能：無線ベアラ制御，無線アドミッション制御，接続モビリティ管理，アップリンクと，ダウンリンクの双方における，ＵＥのための資源の動的配置（スケジューリング）；
−　ＩＰヘッダの圧縮，及び，ユーザ・データ・ストリームの暗号化；
−　ＵＥ接続時の，ＭＭＥの選択；
注：　ＵＥ接続時，はじめにＭＭＥは，含まれている，即ち，実質的には，ＭＭＥは選択されていると，仮定する。
−　サービス・ゲートウェイへのユーザ・プレーン・データの経路選択；
注：　どのノードがユーザ・プレーン・トンネルを実際に設立するかは，次の検討である。
注：　ユーザ・プレーン・トンネルの確立が，ＲＲＣ起動と共に起こるかどうかは，次の検討である。
−　（ＭＭＥからのものである）ページング・メッセージのスケジューリングと送信；
−　（ＭＭＥ，或いは，Ｏ＆Ｍからのものである）ブロードキャスト情報のスケジューリングと送信；
−　モビリティ，及び，スケジューリングのための計測と，計測報告の構成．
ＭＭＥは，次の機能を実施する：
−　ｅＮＢへのページング・メッセージの分配；
−　セキュリティ制御；
−　アイドル状態モビリティ制御；
−　ＳＡＥベアラ制御；
−　ＮＡＳ信号伝達の暗号化と完全性保護．
サービス・ゲートウェイは次の機能を実施する：
−　（次の検討である）ページング理由のための，Ｕ−プレーン・パケットの終端；
−　ＵＥモビリティのサポートのためのＵ−プレーンの切替．）
　
Ｂ．「
　」（１２頁　Figure 4: Overall Architecture全体アーキテクチャ）
　
Ｃ．「
」（１３頁　Figure 4.1: Functional Split between E-UTRAN and EPCＥ−ＵＴＲＡＮと，ＥＰＣ間の機能の分割）
　
Ｄ．「14 Security
14.1 Overview and Principles
The following principles apply to E-UTRAN security:
- The eNB keys are cryptographically separated from the EPC keys used for NAS protection (making it impossible to use the eNB key to figure out an EPC key).
- The keys are derived in the EPC/UE from key material that was generated by a NAS (EPC/UE) level AKA procedure.
- The eNB keys are sent from the EPC to the eNB when the UE is entering LTE_ACTIVE state (i.e. during RRCconnection or S1 context setup).
- Key material for the eNB keys is sent between the eNBs during LTE_ACTIVE intra-E-UTRAN mobility.
- A sequence number is used as input to the ciphering and integrity protection. A given sequence number must only be used once for a given eNB key (except for identical re-transmission). The same sequence number can be used for both ciphering and integrity protection.
- A hyper frame number (HFN) (i.e. an overflow counter mechanism) is used in the eNB and UE in order to limit the actual number of sequence number bits that is needed to be sent over the radio. The HFN needs to be synchronized between the UE and eNB.
  
As a result of an AKA run, the EPC and the UE share a base-key named K_ASME. From K_ASME, the NAS, (and indirectly) K_eNB keys are derived. The K_ASME never leaves the EPC, but the K_eNB key is transported to the eNB from the EPC when the UE transitions to LTE_ACTIVE. From the K_eNB, the eNB and UE can derive the UP and RRC keys. When the UE goes into LTE_IDLE or LTE_DETACHED, the K_eNB, UP and RRC keys are deleted from the eNB. The key hierarchy is depicted on Figure 14.1-1 below:」（５８頁５行〜末行）
（１４　セキュリティ
１４．１　概説，及び，原則
　次の原則は，Ｅ−ＵＴＲＡＮのセキュリティに適用される：
−　（ＥＰＣ鍵を見つけ出すためにｅＮＢ鍵を用いることが不可能なように）ｅＮＢ鍵は，暗号によって，ＮＡＳ保護のために用いられるＥＰＣ鍵から分離される．
−　その鍵は，ＥＰＣ／ＵＥにおいて，ＮＡＳ（ＥＰＣ／ＵＥ）レベルＡＫＡ手続によって生成された，鍵素材から得られる。
−　ｅＮＢ鍵は，ＵＥが，ＬＴＥ＿ＡＣＴＩＶＥ状態に入ると（即ち，ＲＲＣ接続，或いは，Ｓ１コンテキスト設定の間），ＥＰＣから，ｅＮＢに送られる。
−　ｅＮＢ鍵のための鍵素材は，ＬＴＥ＿ＡＣＴＩＶＥ　イントラ−Ｅ−ＵＴＲＡＮモビリティの間に，ｅＮＢの間に送られる。
−　シーケンス番号は，暗号化，及び，完全性保護のための入力として用いられる。得られたシーケンス番号は，（同一の再送のためを除いて）ｅＮＢ鍵を得るために使用されるのは，一度のみでなければならない。同一のシーケンス番号が，暗号化と，完全性保護の両方に用いることができる。
−　ハイパー・フレーム番号（ＨＦＮ）（即ち，桁あふれ計数機構）は，無線上に送られるために必要な連続番号ビットの実数を制限するためにｅＮＢとＵＥの中で使用される。ＵＥとｅＮＢの間でＨＦＮを同期する必要がある。
　
ＡＫＡ実行の結果として，ＥＰＣとＵＥは，Ｋ＿ＡＳＭＥという名の基本鍵を共有する。Ｋ＿ＡＳＭＥから，ＮＡＳ（そして，間接的に），Ｋ＿ｅＮＢが得られる。Ｋ＿ＡＳＭＥは，決して，ＥＰＣから離れない。しかしながら，Ｋ＿ｅＮＢ鍵は，ＵＥが，ＬＴＥ＿ＡＣＴＩＶＥに移行すると，ＥＰＣからｅＮＢに運ばれる。Ｋ＿ｅＮＢから，ｅＮＢ，及び，ＵＥは，ＵＰ，及び，ＲＲＣ鍵を得ることができる。ＵＥが，ＬＴＥ＿ＩＤＬＥ，或いは，ＬＴＥ＿ＤＥＴＡＣＨＥＤの状態になると，Ｋ＿ｅＮＢ，ＵＰ，及び，ＲＲＣ鍵は，ｅＮＢから消去される。鍵階層は，下の図１４．１−１に描かれている。）
　
Ｅ．「
」（５９頁　Figure 14.1-1: Key Hierarchy鍵階層）
　
１．上記Ａの「The eNB hosts the following functions:
- Functions for Radio Resource Management: Radio Bearer Control, Radio Admission Control, Connection Mobility Control, Dynamic allocation of resources to UEs in both uplink and downlink (scheduling);
- IP header compression and encryption of user data stream;
- Selection of an MME at UE attachment;
NOTE: it is assumed, that at UE attachment, firstly the MME is involved, i.e. actually the MME is selected.
（ｅＮＢは，次の機能を実施する：
−　無線機能管理のための機能：無線ベアラ制御，無線アドミッション制御，接続モビリティ管理，アップリンクと，ダウンリンクの双方における，ＵＥのための資源の動的配置（スケジューリング）；
−　ＩＰヘッダの圧縮，及び，ユーザ・データ・ストリームの暗号化；
−　ＵＥ接続時の，ＭＭＥの選択；
注：　ＵＥ接続時，はじめにＭＭＥは，含まれている，即ち，実質的には，ＭＭＥは選択されていると，仮定する。）」という記載と，上記Ｂに引用したFigure 4に開示されている内容から，引用刊行物１には，
“ＵＥと，ＵＥに対する資源の動的配置，ユーザ・データ・ストリームを暗号化するｅＮＢと，ｅＮＢへのページング・メッセージの分配，セキュリティ制御，及び，ＮＡＳ信号伝達の暗号化と完全性保護を行うＭＭＥとを有する無線通信システム”が記載されていることが読み取れる。
　
２．上記Ｄの「The eNB keys are cryptographically separated from the EPC keys（ｅＮＢ鍵は，暗号によって，ＥＰＣ鍵から分離される）」という記載，及び，同じく上記Ｄの「The eNB keys are sent from the EPC to the eNB when the UE is entering LTE_ACTIVE state（ｅＮＢ鍵は，ＵＥが，ＬＴＥ＿ＡＣＴＩＶＥ状態に入ると，ＥＰＣから，ｅＮＢに送られる）」という記載と，上記Ｃに引用したFigure 4.1に示されているように，ＭＭＥが，ＥＰＣ側に存在しているということ，さらに，上記１．において検討したとおり，“セキュリティ制御はＭＭＥにおいて行われる”ということから，引用刊行物１においては，
“ｅＮＢ鍵は，ＭＭＥから，ｅＮＢに送信されるもの”であることが読み取れる。
　
３．上記Ｄの「The keys are derived in the EPC/UE from key material（その鍵は，ＥＰＣ／ＵＥにおいて，鍵素材から得られる）」という記載，同じく上記Ｄの「the EPC and the UE share a base-key named K_ASME（ＥＰＣとＵＥは，Ｋ＿ＡＳＭＥという名の基本鍵を共有する）」という記載，及び，同じく上記Ｄの「From K_ASME, the NAS, (and indirectly) K_eNB keys are derived（Ｋ＿ＡＳＭＥから，ＮＡＳ（そして，間接的に），Ｋ＿ｅＮＢが得られる）」並びに，上記Ｅに引用した　Figure 14.1-1における「Ｋ＿ＡＳＭＥ」と「Ｋ＿ｅＮＢ」との関係と，上記２．において検討した，上記Ｃに引用したFigure 4.1に開示された事項から，引用刊行物１においては，
“ＵＥとＭＭＥは，Ｋ＿ＡＳＭＥという名の基本鍵を共有し，前記Ｋ＿ＡＳＭＥからＫ＿ｅＮＢが得られる”ことが読み取れる。
　
４．上記Ｄの「A given sequence number must only be used once for a given eNB key（得られたシーケンス番号は，ｅＮＢ鍵を得るために使用されるのは，一度のみでなければならない）」という記載から，引用刊行物１においては，
“ｅＮＢ鍵を得るために，シーケンス番号が使用される”ことが読み取れる。
　そして，上記Ｄに記載の「eNB keys（ｅＮＢ鍵）」と，「 K_eNB keys（Ｋ＿ｅＮＢ鍵）」が同じものであることは明らかであるから，
　以上，１．〜４．において検討した事項から，引用刊行物１には，次の発明（以下，これを「引用発明」という）が記載されているものと認める。
　
　ＵＥと，ＵＥに対する資源の動的配置，ユーザ・データ・ストリームを暗号化するｅＮＢと，ｅＮＢへのページング・メッセージの分配，セキュリティ制御，及び，ＮＡＳ信号伝達の暗号化と完全性保護を行うＭＭＥとを有する無線通信システムにおいて，
　ＵＥとＭＭＥは，Ｋ＿ＡＳＭＥという名の基本鍵を共有し，前記Ｋ＿ＡＳＭＥからＫ＿ｅＮＢが得られ，
　前記Ｋ＿ｅＮＢを得るために，シーケンス番号が使用され，
　前記Ｋ＿ｅＮＢは，ＭＭＥから，ｅＮＢに送信される，方法。
　
第４．本願発明と引用発明との対比
１．引用発明における「ＵＥ」，「ＭＭＥ」，「ｅＮＢ」，「Ｋ＿ｅＮＢ」が，それぞれ，本願発明における「ＵＥ」，「ＭＭＥ」，「ｅＮｏｄｅＢ」，「セキュリティキーＫ＿ｅＮＢ」に相当するので，
　引用発明における「方法」は，
　本願発明における「次世代パケットシステムＥＰＳのモビリティ管理エンティティＭＭＥにおいて，ユーザ装置ＵＥと前記ＵＥにサービスするｅＮｏｄｅＢとの間のＲＲＣ／ＵＰトラフィックを保護するためにセキュリティキーＫ＿ｅＮＢを確立する方法」に相当する。
　
２．引用発明における「Ｋ＿ＡＳＭＥ」が，本願発明における「アクセスセキュリティ管理エンティティキーＫ＿ＡＳＭＥ」に相当し，
　引用発明における「Ｋ＿ｅＮＢ」は，「シーケンス番号」と，「Ｋ＿ＡＳＭＥ」とによって導出されることは明らかであり、前記「Ｋ＿ＡＳＭＥ」が，「ＭＭＥ」によって保持されていることも明らかであるから，
　本願発明における「少なくとも前記受信されたＮＡＳ＿Ｕ＿ＳＥＱから，および前記ＵＥと共有される，記憶されたアクセスセキュリティ管理エンティティキーＫ＿ＡＳＭＥから，前記セキュリティキーＫ＿ｅＮＢを導出するステップ」と，
“シーケンス番号と，および前記ＵＥと共有される，記憶されたアクセスセキュリティ管理エンティティキーＫ＿ＡＳＭＥから，前記セキュリティキーＫ＿ｅＮＢを導出するステップ”を有する点で共通する。
　
３．引用発明における「前記Ｋ＿ｅＮＢは，ＭＭＥから，ｅＮＢに送信される」は，
　本願発明における「前記導出されたＫ＿ｅＮＢを，前記ＵＥにサービスする前記ｅＮｏｄｅＢに転送するステップ」に相当する。
　
　以上，１．〜３．において検討した事項から，本願発明と，引用発明との一致点，及び，相違点は,次のとおりである。
　
［一致点］
　次世代パケットシステムＥＰＳのモビリティ管理エンティティＭＭＥにおいて，ユーザ装置ＵＥと前記ＵＥにサービスするｅＮｏｄｅＢとの間のＲＲＣ／ＵＰトラフィックを保護するためにセキュリティキーＫ＿ｅＮＢを確立する方法であって，
　シーケンス番号と，および前記ＵＥと共有される，記憶されたアクセスセキュリティ管理エンティティキーＫ＿ＡＳＭＥから，前記セキュリティキーＫ＿ｅＮＢを導出するステップと，
　前記導出されたＫ＿ｅＮＢを，前記ＵＥにサービスする前記ｅＮｏｄｅＢに転送するステップ，
　とを含む方法。
　
［相違点］
“シーケンス番号”に関して，
　本願発明においては，「ＮＡＳサービス要求を前記ＵＥから受信するステップ（３２，５２）であって，前記要求が，ＮＡＳアップリンクシーケンス番号ＮＡＳ＿Ｕ＿ＳＥＱを示すステップ」において，「ＵＥ」側から「ＭＭＥ」側が受信する「アップリンクシーケンス番号」であるのに対して，
　引用発明においては，「シーケンス番号」が，「ＵＥ」から，「ＭＭＥ」への「アップリンクシーケンス番号」であるか否かが明確でない点。
　
第５．相違点についての当審の判断
　原審拒絶理由に引用された，本願の第１国出願前に既に公知である，国際公開第２００６／１１６６２０号（２００６年１１月２日公開，以下，これを「引用刊行物２」という）に，
　
Ｆ．「[0043] Separate full sequence numbers/crypto-syncs may be used for downlink and uplink transmissions and may be generated/allocated by various entities. In an embodiment, UE 110 generates the full sequence numbers used for downlink and uplink transmissions. In another embodiment, a transmitter generates the full sequence number for its link. In this embodiment, access gateway 130 may generate the full sequence number used for downlink transmission to UE 110, and UE 110 may generate the full sequence number used for uplink transmission to access gateway 130. In yet another embodiment, access gateway 130 or some other network entity may generate the full sequence numbers used for downlink and uplink transmissions. In any case, both the transmitter and receiver for each link have knowledge of the full sequence number used for that link.
 
[0044] The full sequence number/crypto-sync for each link may be generated in various manners. In one embodiment, UE 110 stores a hyperframe number (HFN) and generates the full sequence number for each link using the HFN. UE 110 may set the less significant portion of the full sequence number for the uplink to the HFN and may set the more significant portion of the full sequence number to a predetermined value (e.g., all zeros). The HFN may be updated (e.g., incremented by two) for each data call so that different starting full sequence numbers are used for different calls. The full sequence number for the downlink may be set equal to the full sequence number for the uplink at the start of the call. However, the two full sequence numbers may be incremented at different rates depending on the amount of data being sent on each link. The generation of a crypto-sync based on an HFN and the updating of the HFN may be performed as described in the aforementioned 3GPP TS 33.102.」
（【００３１】
　個別のフルシーケンス番号／暗号−同期は，ダウンリンク送信及びアップリンク送信のために使用され，様々なエンティティによって生成／割当がなされる。実施形態では，ＵＥ１１０は，ダウンリンク送信及びアップリンク送信のために使用されるフルシーケンス番号を生成する。別の実施形態では，送信機は，そのリンクのためのフルシーケンス番号を生成する。この実施形態では，アクセスゲートウェイ１３０は，ＵＥ１１０へのダウンリンク送信のために使用されるフルシーケンス番号を生成し，ＵＥ１１０は，アクセスゲートウェイ１３０へのアップリンク送信のために使用されるフルシーケンス番号を生成する。また別の実施形態では，アクセスゲートウェイ１３０又はその他幾つかのネットワークエンティティが，ダウンリンク送信及びアップリンク送信のために使用されるフルシーケンス番号を生成する。何れにせよ，各リンクの送信機及び受信機ともに，そのリンクに使用されるフルシーケンス番号を知っている。
【００３２】
　各リンクのフルシーケンス番号／暗号−同期は，様々な方法で生成されうる。１つの実施形態では，ＵＥ１１０がハイパーフレーム番号（ＨＦＮ）を格納し，このＨＦＮを用いて，各リンクのためのフルシーケンス番号を生成する。ＵＥ１１０は，アップリンクについて，フルシーケンス番号のより下位の部分をＨＦＮに設定し，フルシーケンス番号のより上位の部分を，予め定めた値（例えば，全てゼロ）に設定する。異なる呼出に対して異なって始まるフルシーケンス番号が使用されるように，ＨＦＮは，各データ呼出について更新される（例えば，２ずつインクリメントされる）。ダウンリンクのフルシーケンス番号は，呼出の開始において，アップリンクのフルシーケンス番号と等しく設定されうる。しかしながら，これら２つのフルシーケンス番号は，各リンク上で送られているデータ量に依存して，異なるレートでインクリメントされる。ＨＦＮ及びＨＦＮの更新に基づく暗号−同期の生成は，前述した３ＧＰＰ  ＴＳ  ３３．１０２に記述されたように実行されうる。引用刊行物２の日本出願の公表公報である，特開２００８−５３９６７８号公報の該当箇所より引用。以下，同じ。）
　
　と記載されているように，「ＵＥ」が，「シーケンス番号」を生成することは，本願の第１国出願時点で，当業者には公知の技術事項であり，また，引用刊行物２に，
　
Ｇ．「[0074]
 FIG. 11 shows an embodiment of a process 1100 performed at an eNode B for uplink transmission from UE 110. Packets are received from UE 110, with each received packet including a partial sequence number used for re-ordering (block 1112)
（【００６２】
　
図１１は，ＵＥ１１０からのアップリンク送信のためにｅＮｏｄｅＢにおいて行われる処理１１００の実施形態を示す。ＵＥ１１０からパケットが受信される。ここで，各受信パケットは，再配列のために使用される部分シーケンス番号を含む（ブロック１１１２
　
　と記載されているように，「ＵＥ」からのアップリンクに「シーケンス番号」を含ませることも，当業者には知られた技術である。
　さらに，「ＵＥ」から，「ＭＭＥ」に対して「ＲＲＣ／ＮＡＳ信号」を送信する点についても，原審が，平成２４年４月１９日付けの拒絶査定の備考において，周知技術として引用した，「安部田貞行，石井美波，加藤康博，樋口健一，“Ｓｕｐｅｒ　３Ｇの技術動向　その２　Ｓｕｐｅｒ　３Ｇの技術検討”，ＮＴＴ　ＤｏＣｏＭｏ　テクニカルジャーナル，日本，２００６年１０月，Ｖｏｌ．１４，Ｎｏ．３，ｐ．６３−６９」（以下，これを「周知文献」という）に，
　
Ｈ．「
」
　と記載されてもいるように，本願の第１国出願前に，当業者には周知の技術事項（以下，これを「周知技術」という）であり，
　そして，引用発明，引用刊行物２に記載の発明，及び，周知技術も共に，無線通信におけるパケット伝送のセキュリティに関するものであるから，「シーケンス番号」を「ＵＥ」側から「ＭＭＥ」に送信する必要がある場合に，「シーケンス番号」を「ＵＥ」から「ＭＭＥ」に送信するよう構成することは，当業者が適宜なし得る事項である。
　よって，本願発明と，引用発明との相違点は格別のものではない。
　
　上記で検討したごとく，相違点は格別のものではなく，そして，本願発明の構成によってもたらされる効果も，当業者であれば容易に予測できる程度のものであって，格別なものとは認められない。
　
第６．むすび
　したがって，本願発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。